(57)【特許請求の範囲】
【請求項１】
回収タンク内が負圧となることにより粉粒体や液体を回収し正圧となることにより回収物を排出する真空吸引式回収装置を対象として、回収タンクの上蓋中央に通気孔を設けてその上方に吊下げ用心杆の支承用ブラケットを設け、該ブラケットの外周から前記通気孔へ通じる吸気口を開設し、吊下げ用心杆の下端部には通気孔の孔縁上へバネ圧で密着する弁座を定着させると共にブラケット上面から操作し得るバネ圧調節機構を付設し、弁座の上方に気密性の伸縮筒体を嵌装させて該筒体内を連通管により回収タンク内と連通させ、回収タンク内の回収物が増量して吊下げ荷重が予め設定された一定値に達するとバネ圧に抗して弁座が通気孔の孔縁上から離隔するよう構成したことを特徴とする、定荷重真空破壊装置。
【発明の詳細な説明】
【０００１】
【産業上の利用分野】
本発明は、真空吸引式回収装置における定荷重真空破壊装置に関するものである。
【０００２】
【従来技術とその問題点】
回収タンク内へ回収された土砂、ペレット等の固形粉粒体、或いは汚水、汚泥等の固液混合体を排出させるについて、従来は、回収タンク内の回収物の収容レベルや重量をセンサーで検出し、電動式のバルブを開作動させて排出を行わせるのが通常である。しかし構造的に複雑となり誤動作のトラブルも多い。
【０００３】
また、スプリングの反力のみを利用したバキュームブレーカー方式のものも存在するが、吸引回収時の運転圧力の影響を受けるため、回収物の重量による排出は殆ど不可能である。
【０００４】
【発明の目的】
本発明の目的は、レベルセンサーや重量センサー、電動式のバルブ等を必要とせず、構造的に簡潔で誤動作のない定荷重真空破壊装置を提供することにある。
【０００５】
【発明の構成】
本発明に係る定荷重真空破壊装置においては、回収タンク内が負圧となることにより粉粒体や液体を回収し正圧となることにより回収物を排出する真空吸引式回収装置を対象として、回収タンクの上蓋中央に通気孔を設けてその上方に吊下げ用心杆の支承用ブラケットを設け、該ブラケットの外周から前記通気孔へ通じる吸気口を開設し、吊下げ用心杆の下端部には通気孔の孔縁上へバネ圧で密着する弁座を定着させると共にブラケット上面から操作し得るバネ圧調節機構を付設し、弁座の上方に気密性の伸縮筒体を嵌装させて該筒体内を連通管により回収タンク内と連通させ、回収タンク内の回収物が増量して吊下げ荷重が予め設定された一定値に達するとバネ圧に抗して弁座が通気孔の孔縁上から離隔するよう構成した。
【０００６】
【実施例】
以下本発明定荷重真空破壊装置を掘削土砂の回収に供せられる真空式吸引回収装置に装着させた事例について説明をする。
【０００７】
１は真空発生機の吸込側へ接続される吸気管２と被回収物の供給源へ向けて開口される吸込管３を導出させた回収タンクであって、下底部にはシート弁４が装着されているが、このシート弁４は回収タンク１内が負圧となったときに大気圧との差圧に閉合状態とされ、回収タンク内が正圧となったときには自らの弾力により開放状態に復元される常開型のものである。５はシート弁４の外側に設けられた接地用の脚体である。回収タンク１の上蓋中央には通気孔６が設けられ、その上方には吊下げ用心杆７の支承用ブラケット８が設けられている。ブラケット８の外周下方部には上記通気孔６へ通じる吸気口９が開設され、吊下げ用心杆７の下端部には吸気口６と対向する弁座１０が定着されており、ブラケット８の上板直下において吊下げ用心杆７に嵌合させたバネ受具１１と上記弁座１０の上面との間にコイルスプリング１２が張設される。１３‥‥１３はブラケット８の上面から螺装された調節用ボルトであって、先端部が上記バネ受具１１の上面に当接する該ボルト１３‥‥１３の操作によってコイルスプリング１２のバネ圧調節機構が構成される。１４は弁座１０の上方に嵌装された気密性の伸縮筒体であって、該筒体１４内は連通管１５によって回収タンク１内と連通させられている。なお、吊下げ用心杆７の頭部はクレーン等への掛止孔１７に形成されている。
【０００８】
吸込管３の先端開口部を掘削土砂内へ導入し、吸気管２に接続された真空発生機を駆動させた状態で、吊下げ用心杆７の掛止孔１７をクレーン等に掛止して図１に示すよう運搬車の荷台１８上へ回収タンク１を降ろせば、弁座１０はコイルスプリング１２のバネ圧によって通気孔６を閉塞されると共に回収タンク１内の減圧によりその閉塞力を増して密着状態となり、吊下げ用心杆７が上方へ牽引されてもこの密着状態を維持することになる。また、回収タンク１内の減圧に伴いシート弁４も閉合状態となって掘削土砂の吸引可能な体制が整えられるので、再び荷台１８上から回収タンク１を吊り上げた図２の状態となし、真空発生機の駆動を続行させると、土砂は吸込管３を通って回収タンク１内へ吸引せられる。そして吸引が継続して行われることで回収タンク１内の回収土砂は次第に増量し、弁座１０に懸かる荷重が予めバネ圧調節機構の操作により設定された所定値に達したとき、つまり回収タンク１内への回収土砂が所定量に達すれば、コイルスプリング１２のバネ圧に抗して弁座１０が通気孔６の孔縁上から離隔し通気孔６が開放状態となって大気を吸引することで回収タンク１は大気圧と同圧となり、閉合していたリップ弁４が開放状態に復元するので、図３に見られるよう回収タンク１内の土砂は一気に運搬車の荷台１８上へ排出されることになる。そして土砂の排出が終了すると図１に示すよう荷台１８上へ回収タンク１を下降させ、弁座１０による通気孔６の閉塞とシート弁４の閉合が自動的に行われるので、以下既述の手順によって土砂の回収と排出を反復し、荷台１８上が満杯になれば運搬車を別のものに取り替え、満杯の運搬車は所定の廃棄場所へ向かうが、その間も別の運搬車の荷台１８上では掘削土砂の回収と排出が続けられるのである。
【０００９】
【発明の効果】
上述によって明らかなように、本発明は真空吸引式回収装置を実施対象とした場合に極めて有効で、レベルセンサーや重量センサー、電動式のバルブ等を必要とせず、構造的に簡潔で誤動作のない定荷重真空破壊装置を提供し得られるのである。
【図面の簡単な説明】
【図１】本発明定荷重真空破壊装置を施した真空吸引式回収装置の要部縦断側面図であって、真空発生機を駆動させ回収タンク内を減圧させた状態により運搬車の荷台上へ下降させ、掘削土砂の回収可能な体制が示されている。
【図２】本発明定荷重真空破壊装置を施した真空吸引式回収装置の要部縦断側面図であって、クレーン等により回収タンクを運搬車の荷台上から上昇させ、掘削土砂の回収を行っている状態を示す。
【図３】本発明定荷重真空破壊装置を施した真空吸引式回収装置の要部縦断側面図であって、回収タンク内の真空破壊によりシート弁が開放せられ、回収土砂が運搬車の荷台上へ排出されている状態を示す。
【図４】図１および図２における本発明定荷重真空破壊装置部分の拡大図である。
【図５】図３における本発明定荷重真空破壊装置部分の拡大図である。
【符号の説明】
１    回収タンク
６    通気孔
７    吊下げ用心杆
８    ブラケット
９    吸気口
１０  弁座
１４  伸縮性筒体
１５  連通管
【図１】
0003907805.tif 000002
【図２】
0003907805.tif 000003
【図３】
0003907805.tif 000004
【図４】
0003907805.tif 000005
【図５】
0003907805.tif 000006